(57)【要約】【課題】ＩＰ電話回線を利用するユーザが、通話料を気にすることなく、様々な交流の機会を持つことができ、またいつでも気軽に電話相談等の各種電話サービスを利用できる電話接続サービスシステムを提供する。【解決手段】ユーザ端末1,1間で音声の送受信を行わせる音声サーバ20と、ユーザ端末1,1がＩＰ電話回線50を通じて接続可能なＩＰ電話中継サーバ30を電話回線で接続し、ユーザ端末１、1から各々送信されたユーザＩＤと相手条件を含む回線接続要求を音声サーバ20が受信し、ユーザ端末1,1から各々ＩＰ電話中継サーバ30を経由して音声サーバ20に発信された発信信号を音声サーバ20が受信し、双方のユーザ端末1,1から送信された回線接続要求に含まれる相手条件が互いに一致する場合、音声サーバ20が、両ユーザ端末1,1からの発信信号に基づき、ユーザ端末1,1間でＩＰ電話中継サーバ30を経由し音声サーバ20を介して相互の回線を接続し、音声の送受信を行わせる。【選択図】図１
2013223161.tif 000002
【特許請求の範囲】
【請求項１】
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いにＩＰ電話回線または非ＩＰ電話回線で接続し、  
第１のユーザが利用するユーザ端末から送信されたユーザＩＤおよび相手条件を含む回線接続要求を音声サーバが受信し、
第２のユーザが利用するユーザ端末から送信されたユーザＩＤおよび相手条件を含む回線接続要求を音声サーバが受信し、
第１のユーザが利用するユーザ端末からＩＰ電話中継サーバを経由して音声サーバに発信された発信信号を音声サーバが受信し、
第２のユーザが利用するユーザ端末からＩＰ電話中継サーバを経由して音声サーバに発信された発信信号を音声サーバが受信し、
第１のユーザが利用するユーザ端末から送信された回線接続要求に含まれる相手条件と第２のユーザが利用するユーザ端末から送信された回線接続要求に含まれる相手条件が一致する場合、音声サーバが、受信した第１のユーザが利用するユーザ端末からの発信信号と、受信した第２のユーザが利用するユーザ端末からの発信信号に基づき、第１のユーザが利用するユーザ端末と第２のユーザが利用するユーザ端末との間でＩＰ電話中継サーバを経由し音声サーバを介して相互の回線を接続し、音声の送受信を行わせることを特徴とする電話接続サービスシステム。
【請求項２】
第１のユーザが利用するユーザ端末および／または第２のユーザが利用するユーザ端末に、ＩＰ電話中継サーバを経由して音声サーバに発信信号を発信させる発信釦が設けられていることを特徴とする請求項１記載の電話接続サービスシステム。
【請求項３】
第１のユーザが利用するユーザ端末からＷＥＢサーバに送信されたユーザＩＤおよび相手条件を含む回線接続要求を音声サーバが受信し、第２のユーザが利用するユーザ端末からＷＥＢサーバに送信されたユーザＩＤおよび相手条件を含む回線接続要求を音声サーバが受信することを特徴とする請求項１または請求項２記載の電話接続サービスシステム。
【請求項４】
第１のユーザが利用するユーザ端末からＷＥＢサーバにアクセスし、第２のユーザが利用するユーザ端末からＷＥＢサーバにアクセスし、それぞれ相手条件として、データベースに登録されたユーザのなかから特定のカテゴリーに属するユーザのユーザ端末との間で相互の回線の接続を要求するランダム接続と、データベースに登録されたユーザのなかからユーザプロフィールに従って選択されたユーザのユーザ端末との間で相互の回線の接続を要求する選択接続のいずれかを選択可能であることを特徴とする請求項１ないし請求項３のいずれか一項に記載の電話接続サービスシステム。
【請求項５】
第１のユーザが利用するユーザ端末から送信された回線接続要求に含まれる相手条件と第２のユーザが利用するユーザ端末から送信された回線接続要求に含まれる相手条件を、データベースに登録されたユーザＩＤおよび会員情報により検索し、相手条件が互いに一致するか否かを判断する検索手段を備えていることを特徴とする請求項１ないし請求項４のいずれか一項に記載の電話接続サービスシステム。
【請求項６】
第１のユーザが利用するユーザ端末または第２のユーザが利用するユーザ端末から送信された回線接続要求としてランダム接続が選択された場合、検索手段は、相手条件として、データベースに登録されたユーザのなかから特定のカテゴリーに属するユーザを検索することを特徴とする請求項５記載の電話接続サービスシステム。
【請求項７】
第１のユーザが利用するユーザ端末または第２のユーザが利用するユーザ端末から送信された回線接続要求として選択接続が選択された場合、検索手段は、相手条件として、データベースに登録されたユーザのなかからユーザプロフィールに従って特定のユーザを選択することを特徴とする請求項５記載の電話接続サービスシステム。
【請求項８】
第１のユーザが利用するユーザ端末と第２のユーザが利用するユーザ端末との間で音声サーバを介して相互に回線が接続されると、接続時間に応じたシステム利用料が第１のユーザおよび／または第２のユーザに対して課金されることを特徴とする請求項１ないし請求項７のいずれか一項に記載の電話接続サービスシステム。
【請求項９】
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、前記音声サーバと、第１のユーザが利用する前記ユーザ端末と第２のユーザが利用する前記ユーザ端末との間で電子メールの送受信を行わせるＷＥＢサーバを回線で接続し、
第１のユーザが利用するユーザ端末からＷＥＢサーバにアクセスし、相手条件として、データベースに登録されたユーザのなかからユーザプロフィールに従って第２のユーザを選択し、
第１のユーザが利用するユーザ端末からＷＥＢサーバを経由して選択された第２のユーザが利用するユーザ端末に対し、第１のユーザのユーザＩＤを含む電話招待メールを送信し、
送信された電話招待メールに基づき、選択された第２のユーザが利用するユーザ端末から送信された第１のユーザのユーザＩＤを含む回線接続要求を音声サーバが受信し、
選択された第２のユーザが利用するユーザ端末からＩＰ電話中継サーバを経由して音声サーバに発信された発信信号を音声サーバが受信し、
第２のユーザが利用するユーザ端末から発信された発信信号に基づき、音声サーバが、ＩＰ電話中継サーバを経由して第１のユーザが利用するユーザ端末に発信信号を発信し、発信信号を受信した第１のユーザが利用するユーザ端末の応答により、第２のユーザが利用するユーザ端末と第１のユーザが利用するユーザ端末との間でＩＰ電話中継サーバを経由し音声サーバを介して相互の回線を接続し、音声の送受信を行わせることを特徴とする電話接続サービスシステム。
【請求項１０】
第１のユーザが利用するユーザ端末および／または第２のユーザが利用するユーザ端末に、ＩＰ電話中継サーバを経由して音声サーバに発信信号が発信される発信釦が設けられていることを特徴とする請求項９記載の電話接続サービスシステム。
【請求項１１】
第１のユーザが利用する通話可能なユーザ端末との間で音声の送受信を行わせる音声サーバと、第１のユーザが利用する前記ユーザ端末とＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声録音要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの音声録音要求に基づき、第１のユーザが利用するユーザ端末と音声サーバとの間でＩＰ電話中継サーバを経由して相互に回線を接続し、第１のユーザが利用するユーザ端末から発信された音声をデータベースに録音し保存することを特徴とする電話接続サービスシステム。
【請求項１２】
第１のユーザが利用するユーザ端末からの音声録音要求に基づき、第１のユーザが利用するユーザ端末から発信された音声を録音し保存する音声録音保存手段を備えることを特徴とする請求項１１記載の電話接続サービスシステム。
【請求項１３】
第１のユーザが利用する通話可能なユーザ端末との間で音声の送受信を行わせる音声サーバと、第１のユーザが利用する前記ユーザ端末とＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声再生要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの発信信号に応答して、第１のユーザが利用するユーザ端末からの音声再生要求に基づき、第１のユーザが利用するユーザ端末と音声サーバとの間でＩＰ電話中継サーバを経由して相互に回線を接続し、データベースに保存された音声を、ＩＰ電話中継サーバを経由して第１のユーザが利用するユーザ端末に送信し、再生させることを特徴とする電話接続サービスシステム。
【請求項１４】
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、
第２のユーザが利用するユーザ端末から送信されたユーザＩＤおよび音声再生要求を音声サーバが受信し、
第２のユーザが利用するユーザ端末からＩＰ電話中継サーバを経由して音声サーバに発信された発信信号を音声サーバが受信し、
音声サーバが、受信した第２のユーザが利用するユーザ端末からの発信信号に応答して、第２のユーザが利用するユーザ端末からの音声再生要求に基づき、第２のユーザが利用するユーザ端末と音声サーバとの間でＩＰ電話中継サーバを経由して相互に回線を接続し、
音声サーバが、第１のユーザが利用するユーザ端末から送信されデータベースに録音保存された音声を、ＩＰ電話中継サーバを経由して第２のユーザが利用するユーザ端末に送信し、再生させることを特徴とする電話接続サービスシステム。
【請求項１５】
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声録音要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの音声録音要求に基づき、第１のユーザが利用するユーザ端末と音声サーバとの間でＩＰ電話中継サーバを経由して相互に回線を接続し、第１のユーザが利用するユーザ端末から発信された音声を音声サーバに録音し保存し、
第２のユーザが利用するユーザ端末から送信されたユーザＩＤおよび音声再生要求を音声サーバが受信し、
第２のユーザが利用するユーザ端末からＩＰ電話中継サーバを経由して音声サーバに発信された発信信号を音声サーバが受信し、
音声サーバが、受信した第２のユーザが利用するユーザ端末からの発信信号に応答して、第２のユーザが利用するユーザ端末からの音声再生要求に基づき、第２のユーザが利用するユーザ端末と音声サーバとの間でＩＰ電話中継サーバを経由して相互に回線を接続し、第１のユーザが利用するユーザ端末から送信され音声サーバに録音保存された音声を、ＩＰ電話中継サーバを経由して第２のユーザが利用するユーザ端末に送信し、
第２のユーザが利用するユーザ端末から送信されたユーザＩＤおよび相手条件として第１のユーザのユーザＩＤを含む回線接続要求を音声サーバが受信し、
第２のユーザが利用するユーザ端末から発信された発信信号に基づき、音声サーバが、ＩＰ電話中継サーバを経由して第１のユーザが利用するユーザ端末に発信信号を発信し、発信信号を受信した第１のユーザが利用するユーザ端末の応答により、第２のユーザが利用するユーザ端末と第１のユーザが利用するユーザ端末との間でＩＰ電話中継サーバを経由し音声サーバを介して相互の回線を接続し、音声の送受信を行わせることを特徴とする電話接続サービスシステム。
【発明の詳細な説明】
【技術分野】
【０００１】
本発明は、ＩＰ電話回線を利用して各種コミュニケーションサービスを提供できる電話接続サービスシステムに関するものである。
【背景技術】
【０００２】
従来より、ＩＰ電話回線を利用したＩＰ電話サービスが知られている。ＩＰ電話サービスは、ＩＰ電話回線（ブロードバンド回線）を利用可能な固定電話、携帯電話、スマートフォンなどの電話を利用するユーザがＩＰ電話サービスを提供する通信事業者とＩＰ電話回線の利用契約を結ぶことにより（一般的には定額制が多い）、ユーザ間の通話料が無料となるサービスである。ＩＰ電話サービスの利用者は、ＩＰ回線網の拡大、インターネット人口の増大、スマートフォンの普及等により、年々増加しており、ＩＰ電話サービスの利用に関しては従来より種々の提案がなされている（例えば特許文献１や特許文献２を参照）。
【０００３】
その一方で、高齢者を含む単身世帯の増加（地方・都市部を問わない）、生活時間の多様化・すれ違い等により、住民どうし、男女間、同じ趣味をもつ者どうしの間等で、交流の機会をなかなか持てないという現状がある。また、例えば受験生が勉強内容について電話で相談したり、悩みを抱える人が自己の悩みについて電話で相談できる電話相談サービスがあるが、相談サービスを利用できる時間帯が限られており、いつでも気軽に相談したいというユーザのニーズに応えたものではなかった。
【先行技術文献】
【特許文献】
【０００４】
【特許文献１】特開２００３−１３４１７２号公報
【特許文献２】特開２００５−２５２８０２号公報
【発明の概要】
【発明が解決しようとする課題】
【０００５】
上に述べたようにＩＰ電話サービスは種々の利点があるものの、様々な交流の機会を欲するユーザや気軽に相談したいというユーザのニーズに応えたものはこれまでなかった。
【０００６】
本発明は、上記事情に鑑みてなされたもので、ＩＰ電話回線を利用するユーザが、通話料を気にすることなく、様々な交流の機会を持つことができ、また、交流を深めることができ、さらにはいつでも気軽に電話相談等の各種電話サービスを利用できる、電話接続サービスシステムを提供することを目的とする。
【課題を解決するための手段】
【０００７】
上記課題が解決するために、本発明に係る電話接続サービスシステムは、
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いにＩＰ電話回線または非ＩＰ電話回線で接続し、  
第１のユーザが利用するユーザ端末から送信されたユーザＩＤおよび相手条件を含む回線接続要求を音声サーバが受信し、
第２のユーザが利用するユーザ端末から送信されたユーザＩＤおよび相手条件を含む回線接続要求を音声サーバが受信し、
第１のユーザが利用するユーザ端末からＩＰ電話中継サーバを経由して音声サーバに発信された発信信号を音声サーバが受信し、
第２のユーザが利用するユーザ端末からＩＰ電話中継サーバを経由して音声サーバに発信された発信信号を音声サーバが受信し、
第１のユーザが利用するユーザ端末から送信された回線接続要求に含まれる相手条件と第２のユーザが利用するユーザ端末から送信された回線接続要求に含まれる相手条件が一致する場合、音声サーバが、受信した第１のユーザが利用するユーザ端末からの発信信号と、受信した第２のユーザが利用するユーザ端末からの発信信号に基づき、第１のユーザが利用するユーザ端末と第２のユーザが利用するユーザ端末との間でＩＰ電話中継サーバを経由し音声サーバを介して相互に回線を接続し、音声の送受信を行わせることを第１の特徴とする。
【０００８】
本発明に係る電話接続サービスシステムは、
第１のユーザが利用するユーザ端末および／または第２のユーザが利用するユーザ端末に、ＩＰ電話中継サーバを経由して音声サーバに発信信号を発信させる発信釦が設けられていることを第２の特徴とする。発信釦は、例えば、ＩＰ電話中継サーバを経由して音声サーバに呼出信号を発信させる電話番号が呼出信号の中に含まれる電話発信アプリを発信釦の操作により起動させる構成とする。
【０００９】
本発明に係る電話接続サービスシステムは、
第１のユーザが利用するユーザ端末からＷＥＢサーバに送信されたユーザＩＤおよび相手条件を含む回線接続要求を音声サーバが受信し、第２のユーザが利用するユーザ端末からＷＥＢサーバに送信されたユーザＩＤおよび相手条件を含む回線接続要求を音声サーバが受信することを第３の特徴とする。
【００１０】
本発明に係る電話接続サービスシステムは、
第１のユーザが利用するユーザ端末からＷＥＢサーバにアクセスし、第２のユーザが利用するユーザ端末からＷＥＢサーバにアクセスし、それぞれ相手条件として、データベースに登録されたユーザのなかから特定のカテゴリーに属するユーザのユーザ端末との間で相互の回線の接続を要求するランダム接続と、データベースに登録されたユーザのなかからユーザプロフィールに従って選択されたユーザのユーザ端末との間で相互の回線の接続を要求する選択接続のいずれかを選択可能であることを第４の特徴とする。
【００１１】
本発明に係る電話接続サービスシステムは、
第１のユーザが利用するユーザ端末から送信された回線接続要求に含まれる相手条件と第２のユーザが利用するユーザ端末から送信された回線接続要求に含まれる相手条件を、データベースに登録されたユーザＩＤおよび会員情報により検索し、相手条件が互いに一致するか否かを判断する検索手段を備えていることを第５の特徴とする。
【００１２】
本発明に係る電話接続サービスシステムは、
第１のユーザが利用するユーザ端末または第２のユーザが利用するユーザ端末から送信された回線接続要求としてランダム接続が選択された場合、検索手段は、相手条件として、データベースに登録されたユーザのなかから特定のカテゴリーに属するユーザを検索することを第６の特徴とする。
【００１３】
本発明に係る電話接続サービスシステムは、
第１のユーザが利用するユーザ端末または第２のユーザが利用するユーザ端末から送信された回線接続要求として選択接続が選択された場合、検索手段は、相手条件として、データベースに登録されたユーザのなかからユーザプロフィールに従って特定のユーザを選択することを第７の特徴とする。
【００１４】
本発明に係る電話接続サービスシステムは、
第１のユーザが利用するユーザ端末と第２のユーザが利用するユーザ端末との間で音声サーバを介して相互に回線が接続されると、接続時間に応じたシステム利用料が第１のユーザおよび／または第２のユーザに対して課金されることを第８の特徴とする。
【００１５】
本発明に係る電話接続サービスシステムは、
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、前記音声サーバと、第１のユーザが利用する前記ユーザ端末と第２のユーザが利用する前記ユーザ端末との間で電子メールの送受信を行わせるＷＥＢサーバを回線で接続し、
第１のユーザが利用するユーザ端末からＷＥＢサーバにアクセスし、相手条件として、データベースに登録されたユーザのなかからユーザプロフィールに従って第２のユーザを選択し、
第１のユーザが利用するユーザ端末からＷＥＢサーバを経由して選択された第２のユーザが利用するユーザ端末に対し、第１のユーザのユーザＩＤを含む電話招待メールを送信し、
送信された電話招待メールに基づき、選択された第２のユーザが利用するユーザ端末から送信された第１のユーザのユーザＩＤを含む回線接続要求を音声サーバが受信し、
選択された第２のユーザが利用するユーザ端末からＩＰ電話中継サーバを経由して音声サーバに発信された発信信号を音声サーバが受信し、
第２のユーザが利用するユーザ端末から発信された発信信号に基づき、音声サーバが、ＩＰ電話中継サーバを経由して第１のユーザが利用するユーザ端末に発信信号を発信し、発信信号を受信した第１のユーザが利用するユーザ端末の応答により、第２のユーザが利用するユーザ端末と第１のユーザが利用するユーザ端末との間でＩＰ電話中継サーバを経由し音声サーバを介して相互に回線を接続し、音声の送受信を行わせることを第９の特徴とする。
【００１６】
本発明に係る電話接続サービスシステムは、
第１のユーザが利用するユーザ端末および／または第２のユーザが利用するユーザ端末に、ＩＰ電話中継サーバを経由して音声サーバに発信信号が発信される電話発信釦が設けられていることを第１０の特徴とする。発信釦は、例えば、ＩＰ電話中継サーバを経由して音声サーバに呼出信号を発信させる電話番号が呼出信号の中に含まれる電話発信アプリを発信釦の操作により起動させる構成とする。
【００１７】
本発明に係る電話接続サービスシステムは、
第１のユーザが利用する通話可能なユーザ端末との間で音声の送受信を行わせる音声サーバと、第１のユーザが利用する前記ユーザ端末とＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声録音要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの音声録音要求に基づき、第１のユーザが利用するユーザ端末と音声サーバとの間でＩＰ電話中継サーバを経由して相互に回線を接続し、第１のユーザが利用するユーザ端末から発信された音声をデータベースに録音し保存することを第１１の特徴とする。
【００１８】
本発明に係る電話接続サービスシステムは、
第１のユーザが利用するユーザ端末からの音声録音要求に基づき、第１のユーザが利用するユーザ端末から発信された音声を録音し保存する音声録音保存手段を備えることを第１２の特徴とする。
【００１９】
本発明に係る電話接続サービスシステムは、
第１のユーザが利用する通話可能なユーザ端末との間で音声の送受信を行わせる音声サーバと、第１のユーザが利用する前記ユーザ端末とＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声再生要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの発信信号に応答して、第１のユーザが利用するユーザ端末からの音声再生要求に基づき、第１のユーザが利用するユーザ端末と音声サーバとの間でＩＰ電話中継サーバを経由して相互に回線を接続し、データベースに保存された音声を、ＩＰ電話中継サーバを経由して第１のユーザが利用するユーザ端末に送信し、再生させることを第１３の特徴とする。
【００２０】
本発明に係る電話接続サービスシステムは、
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、
第２のユーザが利用するユーザ端末から送信されたユーザＩＤおよび音声再生要求を音声サーバが受信し、
第２のユーザが利用するユーザ端末からＩＰ電話中継サーバを経由して音声サーバに発信された発信信号を音声サーバが受信し、
音声サーバが、受信した第２のユーザが利用するユーザ端末からの発信信号に応答して、第２のユーザが利用するユーザ端末からの音声再生要求に基づき、第２のユーザが利用するユーザ端末と音声サーバとの間でＩＰ電話中継サーバを経由して相互に回線を接続し、
音声サーバが、第１のユーザが利用するユーザ端末から送信されデータベースに録音保存された音声を、ＩＰ電話中継サーバを経由して第２のユーザが利用するユーザ端末に送信し、再生させることを第１４の特徴とする。
【００２１】
本発明に係る電話接続サービスシステムは、
第１のユーザが利用する通話可能なユーザ端末と第２のユーザが利用する通話可能なユーザ端末との間で音声の送受信を行わせる音声サーバと、第１のユーザが利用する前記ユーザ端末と第２のユーザが利用する前記ユーザ端末がＩＰ電話回線を通じて接続可能なＩＰ電話中継サーバを、互いに電話回線またはＩＰ電話回線で接続し、  
第１のユーザが利用するユーザ端末から送信されたユーザＩＤおよび音声録音要求を音声サーバが受信し、
第１のユーザが利用するユーザ端末からＩＰ電話中継サーバを経由して音声サーバに発信された発信信号を音声サーバが受信し、
音声サーバが、受信した第１のユーザが利用するユーザ端末からの音声録音要求に基づき、第１のユーザが利用するユーザ端末と音声サーバとの間でＩＰ電話中継サーバを経由して相互に回線を接続し、第１のユーザが利用するユーザ端末から発信された音声を音声サーバに録音し保存し、
第２のユーザが利用するユーザ端末から送信されたユーザＩＤおよび音声再生要求を音声サーバが受信し、
第２のユーザが利用するユーザ端末からＩＰ電話中継サーバを経由して音声サーバに発信された発信信号を音声サーバが受信し、
音声サーバが、受信した第２のユーザが利用するユーザ端末からの発信信号に応答して、第２のユーザが利用するユーザ端末からの音声再生要求に基づき、第２のユーザが利用するユーザ端末と音声サーバとの間でＩＰ電話中継サーバを経由して相互に回線を接続し、第１のユーザが利用するユーザ端末から送信され音声サーバに録音保存された音声を、ＩＰ電話中継サーバを経由して第２のユーザが利用するユーザ端末に送信し、
第２のユーザが利用するユーザ端末から送信されたユーザＩＤおよび相手条件として第１のユーザのユーザＩＤを含む回線接続要求を音声サーバが受信し、
第２のユーザが利用するユーザ端末から発信された発信信号に基づき、音声サーバが、ＩＰ電話中継サーバを経由して第１のユーザが利用するユーザ端末に発信信号を発信し、発信信号を受信した第１のユーザが利用するユーザ端末の応答により、第２のユーザが利用するユーザ端末と第１のユーザが利用するユーザ端末との間でＩＰ電話中継サーバを経由し音声サーバを介して相互の回線を接続し、音声の送受信を行わせることを第１５の特徴とする。
【発明の効果】
【００２２】
以上説明したように、本発明に係る電話接続サービスシステムは、ＩＰ電話回線を利用するユーザに対し、通話料を気にすることなく、いつでも気軽に、他のユーザとコミュニケーションを深めることのできるサービスを提供でき、これにより、都市や地方に限らず、一人暮らしの多い地区の住民どうしの間、男女間、同じ趣味をもつ者どうしの間等でより一層緊密に交流を深めることができる。また、夜に勉強する受験生や勤務時間後の会社員など、自分の都合のよい時間帯に気軽に電話相談等のサービスを受けることができるという優れた効果を奏する。
【図面の簡単な説明】
【００２３】
【図１】本発明の一実施形態を示す電話接続サービスシステムの全体構成図、
【図２】ＷＥＢサーバのシステム構成図、
【図３】音声サーバのシステム構成図、
【図４】データベースのシステム構成図、
【図５】電話接続サービスサイトの初期画面、
【図６】電話接続サービスサイトの会員登録画面、
【図７】電話接続サービスサイトのメニュー選択画面、
【図８】［ランダム接続］におけるカテゴリー選択画面、
【図９】［ランダム接続］における電話発信画面、
【図１０】［選択接続］におけるプロフィール選択画面、
【図１１】［選択接続］における選択相手一覧画面、
【図１２】［選択接続］における選択相手の会員プロフィール画面、
【図１３】［選択接続］における電話招待送信画面、
【図１４】［選択接続］における電話招待メール画面、
【図１５】［選択接続］における電話発信画面、
【図１６】［メッセージ録音］におけるコーナー選択画面、
【図１７】［メッセージ録音］における電話発信画面、
【図１８】［メッセージ再生］におけるコーナー選択画面、
【図１９】［メッセージ再生］における録音メッセージ一覧画面、
【図２０】［メッセージ再生］における電話発信画面、
【図２１】［メッセージ再生］における別の電話発信画面である。
【発明を実施するための最良の形態】
【００２４】
本発明を実施するための最良の形態について、図面を参照して説明する。図１ないし図２１は本発明の一実施形態を示すもので、これらの図において、符号１００は電話接続サービスシステムを示している。
【００２５】
電話接続サービスシステム１００は、図１に示すように、電話接続サービス事業者が管理運営するＷＥＢサーバ１０および音声サーバ２０と、ＩＰ電話通信事業者が管理運営するＩＰ電話中継サーバ３０を備えており、ＷＥＢサーバ１０の電話接続サービスサイトＳに対してインターネット回線４０を通じて複数のユーザが各自の携帯端末１からアクセス可能とされ、ＩＰ電話中継サーバ３０に対してはＩＰ電話回線５０を介して前述の複数のユーザが各自の音声通話可能な携帯端末１から接続可能とされている。また、音声サーバ２０とＩＰ電話中継サーバ３０は光回線６０により接続されている。そして、前述の複数のユーザが各自の携帯端末（ユーザ端末）１から、ＷＥＢサーバ１０の電話接続サービスサイトＳ（図２参照）上で電話接続サービスを申し込むことにより、ＩＰ電話中継サーバ３０の経由および音声サーバ２０を介して互いに会話可能とされている。ＷＥＢサーバ１０および音声サーバ２０にはデータベース７０が接続されている。
【００２６】
また、電話接続サービス１００を実現する手段として、電話接続サービス事業者側のシステムに、会員登録手段１０１と会員データベース１０２と接続要求受付手段１０３と検索手段１０４と回線接続手段１０５と招待受付手段１０６と音声録音再生手段１０７と音声データベース１０８と課金手段１０９が設けられている。これらのうち、図２に示すように、会員登録手段１０１と検索手段１０４と招待受付手段１０６と課金手段１０９はＷＥＢサーバ１０に、図３に示すように、接続要求受付手段１０３と回線接続手段１０５と音声録音再生手段１０７は音声サーバ２０に、図４に示すように、会員データベース１０２と音声データベース１０８はデータベース７０に設けられている。なお、前記各手段は、ＷＥＢサーバ１０および音声サーバ２０に回線で接続された別のサーバ（管理サーバ）に設けるようにしてもよい。
【００２７】
会員登録手段１０１は、ＷＥＢサーバ１０上の電話接続サービスサイトＳにアクセスした会員登録希望者（ユーザ）が、会員登録画面Ｓ１から入力した会員情報（氏名（ニックネーム）・住所・電話番号・メールアドレス・暗証番号・生年月日・性別・血液型・趣味・その他）を、ＷＥＢサーバ１０が受信し、受信した会員情報に基づき、ユーザＩＤ番号を発行し、会員登録を行う。登録後の会員情報（ユーザＩＤ・氏名（ニックネーム）・住所・電話番号・メールアドレス・暗証番号・生年月日・年齢・性別・血液型・地域・趣味・その他）は会員データベース１０２に保存される。ユーザＩＤはメールアドレスまたは電話番号から構成してもよい。
【００２８】
接続要求受付手段１０３は、会員登録したユーザが自己の携帯端末１からＷＥＢサーバ１０上の電話接続サービスサイトＳに送信したユーザＩＤおよび接続先である相手条件を含む回線接続要求を受け付けるもので、同回線接続要求を音声サーバ２０が受信するようになっている。
【００２９】
検索手段１０４は、音声サーバ２０が受信した回線接続要求に基づき、同回線接続要求に含まれる相手条件を、会員データベース１０２に含まれる会員情報から検索し、複数の携帯端末１から回線接続要求を受信した場合、それらの回線接続要求に含まれる相手条件が互いに一致するか否かを判断するようになっている。ここで回線接続要求に含まれる相手条件には、会員データベース１０２に登録されたユーザのなかから特定のカテゴリー（性別・地域・年齢・趣味・その他）の一又は複数の組合せに属する任意のユーザとの間で電話接続を要求する［ランダム接続］と、会員データベース１０２に登録されたユーザのなかからプロフィール（性別・地域・年齢・血液型・趣味・その他）に従って選択された特定（ユーザＩＤで特定する）のユーザとの間で電話接続を要求する［選択接続］の２種類が含まれる。
【００３０】
回線接続手段１０５は、複数の携帯端末１から音声サーバ２０が受信した回線接続要求に含まれる相手条件が互いに一致する場合、音声サーバ２０が受信した一方の携帯端末１からの発信信号と、音声サーバ２０が受信した他方の携帯端末１からの発信信号に基づき、両方の携帯端末１、１の間でＩＰ電話中継サーバ３０を経由し音声サーバ２０を介して相互の回線を接続し、音声の送受信を行わせるようになっている。
【００３１】
招待受付手段１０６は、ユーザが携帯端末１からＷＥＢサーバ１０上の電話接続サービスサイトＳに送信した自己のユーザＩＤと招待先のユーザＩＤを含む電話招待案内を受け付けるもので、ＷＥＢサーバ１０が電話招待案内を受信すると、招待先のユーザの携帯端末１に対し、招待元のユーザＩＤを含む電話招待メールを送信するようになっている。
【００３２】
音声録音再生手段１０７は、携帯端末１から音声サーバ２０が受信した音声録音要求に基づき、携帯端末１から発信された音声メッセージをＩＰ電話中継サーバ３０を経由して音声サーバ２０が受信して録音し、音声データベース１０８に保存し、また、携帯端末１から音声サーバ２０が受信した音声再生要求に基づき、音声データベース１０８に保存され選択された特定の音声メッセージ（ユーザから録音された音声メッセージと予め準備された音声メッセージを含む）をＩＰ電話中継サーバ３０を経由して携帯端末１に発信し、再生させるようになっている。
【００３３】
課金手段１０９は、複数の携帯端末１から音声サーバ２０が受信した回線接続要求に応じて、両方の携帯端末１、１の間でＩＰ電話中継サーバ３０を経由し音声サーバ２０を介して相互の回線を接続する間、電話接続時間に応じたシステム利用料をユーザに対し課金するもので、いずれか一方のユーザまたは両方のユーザに課金することができるようになっている。また、一の携帯端末１から音声サーバ２０が受信した音声録音要求に応じて、あるいは、一の携帯端末１から音声サーバ２０が受信した音声再生要求に応じて、携帯端末１と音声サーバ２０との間で相互の回線を接続する間、電話接続時間に応じたシステム利用料をユーザに対し課金するようになっている。なお、音声再生要求側のユーザが質問者に対する回答者の立場である等の場合は、課金の設定を解除することもできる。
【００３４】
次に、上記のように構成された電話接続サービスシステムＳの利用方法について、図５ないし図２１を参照しながら、以下に説明する。
【００３５】
本システムＳによる電話接続サービスの態様として、ユーザが任意のユーザと接続し会話できる［ランダム接続］、ユーザが特定のユーザを選択して会話できる［選択接続］、ユーザが質問等のメッセージを録音できる［メッセージ録音］、ユーザが他のユーザが録音したメッセージを再生できる［メッセージ再生］の４種類がある。他のメニューを追加することもできる。ユーザが各サービスの利用を申し込むには自己の携帯端末１からＷＥＢサーバ１０の電話接続サービスサイトＳにアクセスする必要がある。以下、各サービスの利用方法について説明する。
【００３６】
ユーザがＷＥＢサーバ１０上の電話接続サービスサイトＳにアクセスし、ユーザが会員登録していない場合、初期画面Ｓ０（図５参照）から会員登録画面Ｓ１（図６参照）に移行し、会員情報（氏名（ニックネーム）・住所・電話番号・メールアドレス・暗証番号・生年月日・性別・血液型・趣味・その他）を入力する。入力された会員情報は、ＷＥＢサーバ１０から音声サーバ２０へ送信され、音声サーバ２０はユーザＩＤ番号を発行し、会員登録を行う。登録後の会員情報（ユーザＩＤ・氏名（ニックネーム）・住所・電話番号・メールアドレス・暗証番号・生年月日・年齢・性別・血液型・地域・趣味・その他）は会員データベース１０２に保存される。
【００３７】
［ランダム接続］
次に、ユーザ（以下、第１ユーザと称する）が初期画面Ｓ０（図５参照）上でユーザＩＤと暗証番号（パスワード）を入力し、送信すると、メニュー選択画面Ｓ２（図７参照）に移行する。ＷＥＢサーバ１０はユーザＩＤと暗証番号を受信すると、ユーザＩＤとユーザ電話番号を音声サーバ２０に送信する。
【００３８】
メニュー選択画面Ｓ２には複数の選択メニュー（ランダムに会話する・相手を選んで会話する・メッセージを録音する・メッセージを再生する）が設けられている。第１ユーザが回線接続要求として［ランダムに会話する］（ランダム接続）を選択すると、任意のユーザの携帯端末と接続し、会話することができる。第１ユーザが[ランダムに会話する]を選択し、送信すると、次のカテゴリー選択画面Ｓ３（図８参照）に移行する。カテゴリー選択画面Ｓ３には相手条件として複数のカテゴリー（性別・地域・年齢・趣味・その他）が設けられている。カテゴリー選択画面Ｓ３上で第１ユーザが［地域］と［年齢］を選択し（［地域］はさらに全国、都道府県、市町村、地区の各レベルに細分化して選択できるが、ここでは市町村（例えばＡ県Ｂ市内）を選択する。［年齢］はさらに○○歳〜○○歳までと年齢範囲を限定して選択できるが、ここでは６０歳〜６９歳を選択する。）、送信すると、次の電話発信画面Ｓ４（図９参照）に移行する。ＷＥＢサーバ１０は選択されたカテゴリー情報を受信し、音声サーバ２０に送信する。これにより、音声サーバ２０は、第１ユーザからユーザＩＤとユーザ電話番号と相手条件を含む回線接続要求を受信する。
【００３９】
電話発信画面Ｓ４（図９参照）には複数の電話発信メニュー（発信タイプＡ・Ｂ）が設けられている。［発信タイプＡ］は、携帯端末１からの電話発信をＩＰ電話回線５０およびＩＰ電話中継サーバ３０を経由して音声サーバ２０が受信するタイプで、ＩＰ電話回線５０および光回線６０を経由して相手と通話する。発信タイプＡは、ＩＰ電話回線５０およびＩＰ電話中継サーバ３０を管理運営するＩＰ電話通信事業者との契約に従って、ユーザにＩＰ回線利用料が発生する。したがって、［発信タイプＡ］を利用するにあたり、ユーザはＩＰ電話通信事業者との間でＩＰ電話回線５０の利用契約を結んでおく必要がある。［発信タイプＢ］は、携帯端末１からの電話発信を電話接続サービス事業者の音声サーバ２０が直接受信するタイプで、第１ユーザが契約する任意のキャリア（電気通信事業者）の提供する電話回線（公衆回線、光回線等）を利用して相手と通話する。［発信タイプＢ］は、キャリアとの契約プランに従ってユーザに所定の通話料が発生する。
【００４０】
電話発信画面Ｓ４上で第１ユーザが［発信タイプＡ］を選択し、発信釦をクリックすると、電話発信アプリが起動すると共に、音声サーバ２０への呼出信号がＩＰ電話回線５０を通じてＩＰ電話中継サーバ３０を経由し、光回線６０を通じて音声サーバ２０へ発信される。［発信タイプＡ］の電話発信アプリの呼出信号の中に発信先電話番号として音声サーバ２０に割当てられた電話番号（例：０５０−１２３４−１２３４）が含まれている。第１ユーザが［発信タイプＡ］を選択しクリックすることにより、音声サーバ２０と関連付けられた電話発信アプリが起動してＩＰ電話中継サーバ３０を経由して音声サーバ２０に呼出信号を発信することができる。これにより音声サーバ２０は、第１ユーザの携帯端末１Ａから音声サーバ２０に向けて発信された発信信号（呼出信号）を受信する。
【００４１】
電話発信画面Ｓ４上でユーザが［発信タイプＡ］を選択した際に、電話発信アプリの呼出信号の中に音声サーバ２０の電話番号を含めているので、ユーザは音声サーバ２０の電話番号を入力操作することなく、［発信タイプＡ］を選択するのみで、直ちに音声サーバ２０へＩＰ電話回線５０を通じて電話発信することができる。
【００４２】
音声サーバ２０は、第１ユーザからの回線接続要求および呼出信号に応答して、音声データベース１０８から音声メッセージ（「接続先の相手を探しています。」）を呼び出し、ＩＰ電話中継サーバ３０を経由して発信元の携帯端末１Ａに対し送信する。あわせて他のユーザからの同一相手条件を含む回線接続要求を受信したか否かサーチする。他のユーザからの同一相手条件の回線接続要求の受信がない場合、第１ユーザからの回線接続要求は待機状態となる。
【００４３】
他のユーザ（以下、第２ユーザという）が携帯端末１Ｂから、第１ユーザと同様に、インターネット回線４０を通じて電話接続サービス事業者のＷＥＢサーバ１０上の電話接続サービスサイトＳにアクセスし、携帯端末１Ｂ上に表示された初期画面Ｓ０（図５参照）上でユーザＩＤと暗証番号を入力して送信し、次いでメニュー選択画面Ｓ２（図７参照）上で回線接続要求として［ランダムに会話する］を選択して送信し、次いでコーナー選択画面Ｓ３（図８参照）上でカテゴリーとして［地域］（Ａ県Ｂ市内）および［年齢］（６０歳〜６９歳）を選択して送信すると、音声サーバ２０は、第２ユーザからユーザＩＤとユーザ電話番号と相手条件を含む回線接続要求を受信する。
【００４４】
また、第２ユーザが、電話発信画面Ｓ４（図９参照）上で［発信タイプＡ］を選択してクリックすると、音声サーバ２０と関連付けられた電話発信アプリが起動してＩＰ電話中継サーバ３０を経由して音声サーバ２０に呼出信号が電話発信され、これにより音声サーバ２０は、第２ユーザの携帯端末１Ｂから音声サーバ２０に向けて発信された呼出信号を受信する。
【００４５】
音声サーバ２０は、第２ユーザからの回線接続要求および呼出信号に応答して、ＩＰ電話中継サーバ３０を経由して発信元の携帯端末１Ｂに対し音声メッセージ（「接続先の相手を探しています。」）を発信し、あわせて第２ユーザからの同一相手条件を含む回線接続要求を受信したか否かサーチする。
【００４６】
音声サーバ２０は、サーチの結果、第１ユーザおよび第２ユーザの回線接続要求に対し、会員情報（ユーザＩＤ）の抽出および相手条件（カテゴリー［地域］および［年齢］）が互いに一致するか否か判断し、相手条件が一致すると、音声サーバ２０から音声メッセージ（「接続先の相手が見つかりました。お話下さい。」を呼び出し、ＩＰ電話中継サーバ３０を経由して第１ユーザの携帯電話１Ａと第２ユーザの各携帯電話１Ｂに対し発信する。あわせて電話中継サーバ３０を経由して音声サーバ２０を介して第１ユーザの携帯端末１Ａと第２ユーザの携帯端末１Ｂの間で回線を接続する。これにより、第１ユーザの携帯端末１Ａと第２ユーザの携帯端末１Ｂとの間で会話が可能となり、お互いの交流を深めることができる。
【００４７】
なお、第１ユーザと第２ユーザの会話中に、音声サーバ２０が同一相手条件による他のユーザからの回線接続要求を受信した場合、他のユーザからの回線接続要求は待機状態となるが、第１ユーザと第２ユーザのいずれか一方のユーザが電話回線の相互接続を切断すると、音声サーバ２０は、他方のユーザと他のユーザの間で回線を接続し、他方のユーザと他のユーザの間で会話が可能となり、お互いの交流を深めることができる。
【００４８】
［選択接続］
次に、第１ユーザが携帯端末１ＡからＷＥＢサーバ１０上の電話接続サービスサイトＳにアクセスし、初期画面Ｓ０（図５参照）上でユーザＩＤと暗証番号を入力して送信し、次のメニュー選択画面Ｓ２（図７参照）上で回線接続要求として［相手を選んで会話する］（選択接続）を選択すると、相手（ユーザ）プロフィールから選択した特定の相手と接続し、会話することができる。第１ユーザが回線接続要求として［相手を選んで会話する］を選択して送信すると、プロフィール選択画面Ｓ５（図１０参照）に移行する。プロフィール選択画面Ｓ５には複数のプロフィール項目（性別・地域・年齢・血液型・趣味・その他（既婚・独身等））が設けられ、任意の一または複数の項目の組合せを選択できる。プロフィール項目中、［地域］（住地域）は全国・県別・市町村別等に、［趣味］は盆栽・釣り・ペット・ゲーム・野球等の各分野に細分化して選択できる。
【００４９】
プロフィール選択画面Ｓ５上で第１ユーザが、検索条件として［地域］と［趣味］を選択し（［地域］はＡ県Ｂ市内、［趣味］はペット、さらに中分類としてペット種（犬）を選択する）、送信すると、選択相手一覧画面Ｓ６（図１１参照）に移行する。ＷＥＢサーバ１０は、ユーザＩＤ、暗証番号を受信し、検索条件をデータベース７０に問い合わせ、該当するユーザのユーザＩＤとプロフィール情報を受け取る。
【００５０】
選択相手一覧画面Ｓ６上には、検索結果として、第１ユーザが選択した相手プロフィール（［地域］［趣味］）と同一の相手条件を満たす会員一覧が表示される。表示された会員一覧には、該当する相手の氏名（ニックネーム）が表示され、選択相手一覧画面Ｓ６上で、選択された会員一覧のユーザ（氏名（ニックネーム））を選択し、送信すると、当該ユーザの会員プロフィール画面Ｓ７（図１２参照）に移行する。なお、会員プロフィール画面Ｓ７上で、［戻る］をクリックすると、選択相手一覧画面Ｓ６に戻り、次のユーザを選択することができる。第１ユーザが会員プロフィール画面Ｓ７上で会員プロフィールを確認し、送信すると、電話招待送信画面Ｓ８（図１３参照）に移行する。電話招待送信画面Ｓ８には、発信メニュー［電話に招待する］が設けられている。第１ユーザが［電話に招待する］を選択し、送信すると、ＷＥＢサーバ１０は招待先のユーザＩＤおよび電話招待案内を受信する。
【００５１】
ＷＥＢサーバ１０が第１ユーザから電話招待案内を受信すると、招待先のユーザ（以下、第３ユーザと称する）の携帯端末１Ｃに対し、文字メッセージ（「Ａ（ニックネーム）さんより電話の招待です。」）と第１ユーザのプロフィールを含む電話招待メールＳ９（図１４参照）を送信する。
【００５２】
第３ユーザの携帯端末１Ｃが受信した電話招待メールＳ９には、発信メニュー［話す］が設けられている。第３ユーザが第１ユーザからの電話招待に応じるべく、［話す］を選択してクリックすると、次の電話発信画面Ｓ１０（図１５参照）に移行し、あわせて音声サーバ２０は第３ユーザのユーザＩＤと第３ユーザの電話番号と第１ユーザのユーザＩＤと第１ユーザの電話番号を受信する。これにより、音声サーバ２０は、第３ユーザから第１ユーザに対する回線接続要求を受信する。
【００５３】
電話発信画面Ｓ１０（図１５参照）には、前述の電話発信画面Ｓ４と同一の複数の発信メニュー（発信タイプＡ・発信タイプＢ）が設けられている。なお、第３ユーザが加入する一の発信メニュー（発信タイプＡ）のみ表示させてよい。電話発信画面Ｓ１０上で第３ユーザが［発信タイプＡ］を選択しクリックすると、音声サーバ２０と関連付けられた電話発信アプリが起動して呼出信号がＩＰ電話回線５０を通じて電話中継サーバ３０を経由し、光回線６０を通じて音声サーバ２０へ発信される。［発信タイプＡ］の電話発信アプリの呼出信号の中に発信先電話番号として音声サーバ２０に割当てられた前述の電話番号が含まれている。第３ユーザが［話す］と［発信タイプＡ］を順次選択し、クリックすることにより、音声サーバ２０と関連付けられた電話発信アプリを自動的に起動させ、ＩＰ電話中継サーバ３０を経由して音声サーバ２０に電話発信することができる。これにより音声サーバ２０は、第３ユーザの携帯端末１Ｃから音声サーバ２０に向けて発信された呼出信号を受信する。
【００５４】
音声サーバ２０は、第３ユーザからの回線接続要求および呼出信号に応答して、音声データベース１０８から音声メッセージ（「相手を呼び出しています。」）を呼び出し、第３ユーザの携帯端末１Ｃに発信する。あわせてＩＰ電話中継サーバ３０を経由して呼出信号を第１ユーザの携帯端末１Ａに対し発信する。第１ユーザの携帯端末１Ａの画面には呼出信号の受信により音声サーバ２０に割当てられた電話番号（例：０５０−１２３４−１２３４）が表示される。第１ユーザが同呼出信号に応答すると、第１ユーザの携帯端末１Ａに対しては音声メッセージ（「相手からお電話です。お話下さい。」が送信され、第３ユーザの携帯端末１Ｃに対しては音声メッセージ（「相手と繋がりました。お話下さい。」）が送信され、その後、第３ユーザの携帯端末１Ｃと第１ユーザの携帯端末１Ａとの間でＩＰ電話中継サーバ３０を経由し、音声サーバ２０を介した回線を接続する。これにより、第１ユーザは電話招待メールを送信した相手先である第３ユーザと会話し、共通の住地域（Ａ県Ｂ市内）および共通の趣味（ペット）を通じた交流を深めることができる。
【００５５】
電話招待メールを受信した第３ユーザは、電話招待メールに含まれるプロフィールを参照することにより招待元である第１ユーザに対し電話で会話に応じるか否か判断することができ、また、自分の都合が付かないときは、自分の都合が付く時間帯に第１ユーザに電話を掛けることが可能となり、電話の招待を受ける第３ユーザにとっては、安心して交流できるという利点がある。
【００５６】
なお、第１ユーザが会員プロフィール画面Ｓ７上で会員プロフィールを確認し、送信すると、電話招待送信画面Ｓ８（図１３）に移行することなく、電話発信画面Ｓ１０（図１５参照）に移行させることもできる。第１ユーザが電話招待送信画面Ｓ８または電話発信画面Ｓ１０のどちらかを選択できる画面としてもよい。電話発信画面Ｓ１０（図１５参照）に移行させた場合、上に述べた説明と同様の手順で、音声サーバ２０は、第１ユーザからの回線接続要求および呼出信号に応答して、ＩＰ電話中継サーバ３０を経由して呼出信号を相手先である第３ユーザの携帯端末１Ａに対し発信し、第３ユーザが同呼出信号に応答すると、第３ユーザの携帯端末１Ｃと第１ユーザの携帯端末１Ａとの間でＩＰ電話中継サーバ３０を経由し、音声サーバ２０を介した回線を接続し、これにより第１ユーザと第３ユーザとの間で会話をし、交流を深めることができる。
【００５７】
［メッセージ録音］
次に、第２ユーザが携帯端末１ＢからＷＥＢサーバ１０上の電話接続サービスサイトＳにアクセスし、初期画面Ｓ０（図５参照）上でユーザＩＤと暗証番号を入力して送信し、次のメニュー選択画面Ｓ２（図７参照）上で［メッセージを録音する］を選択すると、データベース７０の音声データベース１０８に音声メッセージを録音することができる。メニュー選択画面Ｓ２上で第２ユーザが［メッセージを録音する］を選択して送信すると、コーナー選択画面Ｓ１１（図１６参照）に移行する。コーナー選択画面Ｓ１１には複数のカテゴリー（質問コーナー・相談コーナー・伝言板コーナー・その他）が設けられている（各コーナーはさらに分野別に細分化して選択できる）。
【００５８】
コーナー選択画面Ｓ１１上で第２ユーザが、［質問コーナー］を選択し（さらに、例えば「ペット」→「躾」のように細分化して選択する）、送信すると、次の電話発信画面Ｓ１２（図１７参照）に移行する。ＷＥＢサーバ１０は選択されたコーナー情報を受信し、ユーザＩＤとともに音声サーバ２０に送信し、これにより、音声サーバ２０は、第２ユーザの携帯端末１Ｂから、ユーザＩＤとユーザ電話番号と音声録音要求を受信する。
【００５９】
電話発信画面Ｓ１２上で第２ユーザが［発信タイプＡ］を選択し、［発信する］をクリックすると、音声サーバ２０と関連付けられた電話発信アプリが起動して呼出信号がＩＰ電話回線５０を通じてＩＰ電話中継サーバ３０を経由して音声サーバ２０に発信される。［発信タイプＡ］の電話発信アプリの呼出信号の中に発信先電話番号として音声サーバ２０に割当てられた前述の電話番号が含まれている。第２ユーザが［発信する］をクリックすることにより、ＩＰ電話中継サーバ３０を経由して音声サーバ２０に呼出信号を発信できる。
【００６０】
音声サーバ２０は、第２ユーザの携帯端末１Ｂから呼出信号を受信すると、音声録音要求および呼出信号に基づき、音声データベース１０８から音声メッセージ（「メッセージを録音します。完了は♯を押してください。」）を呼び出し、第２ユーザの携帯端末１Ｂに送信する。続いて、第２ユーザが携帯端末１Ｂの送話口から音声メッセージ「こんにちは、ペットの躾について質問します。・・・」をＩＰ電話中継サーバ３０を経由して音声サーバ２０に対し発信すると、音声サーバ２０は、受信した音声メッセージを音声データベース１０８に録音し保存する。
【００６１】
次いで第２ユーザが音声メッセージの発信完了後に携帯端末１Ｂ上の♯ボタンをクリックすると、メッセージ発信完了信号が音声サーバ２０に送信され、第２ユーザからの音声メッセージの保存が完了するとともに、これに応答して、音声サーバ２０から第２ユーザの携帯端末１Ｂに対し音声メッセージ（「録音が完了しました。」）が発信される。これにより第２ユーザは自己の質問内容を音声メッセージとして音声データベース１０８に録音し保存しておくことができ、質問内容を聞いた専門家あるいは質問内容に詳しいユーザからの電話による回答を期待することができる。
【００６２】
［メッセージ再生］
次に、第４ユーザが携帯端末１ＤからＷＥＢサーバ１０上の電話接続サービスサイトＳにアクセスし、初期画面Ｓ０（図５参照）上でユーザＩＤと暗証番号を入力して送信し、次のメニュー選択画面Ｓ２（図７参照）上で［メッセージを再生する］を選択すると、音声データベース１０８に録音された音声メッセージ（以下、録音メッセージと称する場合がある）を再生することができる。メニュー選択画面Ｓ２上で第４ユーザが［メッセージを再生する］を選択して送信すると、コーナー選択画面Ｓ１３（図１８）に移行する。コーナー選択画面Ｓ１３には複数のカテゴリー（質問コーナー・相談コーナー・伝言板コーナー・その他）が設けられている（各コーナーはさらに専門分野別に細分化して選択できる）。
【００６３】
コーナー選択画面Ｓ１３上で第４ユーザが、例えば［質問コーナー］を選択し（さらに、例えば［ペット］→「犬」→［躾（しつけ）］のように細分化して選択する）、送信すると、録音メッセージ一覧画面Ｓ１４（図１９参照）に移行する。録音メッセージ一覧画面Ｓ１４上には、第４ユーザが選択したカテゴリー（［質問コーナー］［ペット］「犬」［躾（しつけ）］）に属する録音メッセージの一覧がメッセージ番号と共に表示される。録音メッセージ一覧画面Ｓ１４上で、第４ユーザが再生したい録音メッセージのメッセージ番号を選択し、送信すると、次の電話発信画面Ｓ１５（図２０参照）に移行し、ＷＥＢサーバ１０は、ユーザＩＤとメッセージ番号を音声サーバ２０に送信する。これにより、音声サーバ２０は、第４ユーザの携帯端末１ＤからユーザＩＤとユーザ電話番号と音声再生要求を受信する。
【００６４】
続いて、電話発信画面Ｓ１５上で第４ユーザが［発信タイプＡ］を選択し、［発信する］をクリックすると、音声サーバ２０と関連付けられた電話発信アプリが起動して呼出信号がＩＰ電話回線５０を通じてＩＰ電話中継サーバ３０を経由して音声サーバ２０へ発信される。［発信タイプＡ］の電話発信アプリの呼出信号の中に発信先電話番号として音声サーバ２０に割当てられた前述の電話番号が含まれている。第４ユーザが［発信する］をクリックすることにより、ＩＰ電話中継サーバ３０を経由して音声サーバ２０に呼出信号を発信できる。
【００６５】
音声サーバ２０は、第４ユーザの携帯端末１Ｄから発信信号を受信すると、音声再生要求および呼出信号に基づき、音声データベース１０８から録音メッセージ（「メッセージを再生します。」）を呼び出し、第４ユーザの携帯端末１Ｄに送信する。続いて、選択された録音メッセージ「こんにちは、ペットの躾について質問します。・・・」を呼び出して、発信し、第４ユーザは携帯端末１０Ｄに受信した録音メッセージを再生することができる。第４ユーザが複数の録音メッセージを選択した場合は、古い録音順または最新の録音順に録音メッセーを再生することができる。
【００６６】
録音内容を聞いた第４ユーザは、前述の［メッセージ録音］の手順により、質問内容に対する回答を、音声メッセージの形で音声サーバ２０を介して音声データベース１０８に録音することができる。第２ユーザによる音声メッセージに関連して第４ユーザによる音声メッセージが音声データベース１０８に録音された場合、ＷＥＢサーバ１０は、関連先の第２ユーザの携帯端末１Ｂに対し、文字メッセージ（「あなたのメッセージにコメントがありました。」）をお知らせメールの形で発信するようにしてもよい。これにより、質問内容を録音した第２ユーザは、上述の［メッセージ再生］の手順により、回答内容を音声メッセージの形で再生し、回答を得ることができ、両ユーザは質問者と回答者の双方の立場で交流を深めることができる。
【００６７】
さらに、録音内容を聞いた第４ユーザは、自己の携帯電話１Ｄと第２ユーザの携帯電話１Ｂとの間でＩＰ電話中継サーバ３０を経由して音声サーバ２０を介して電話回線を相互に接続し、会話を通じて質問内容に対する回答を与えることができる。この場合、電話発信画面Ｓ１５上に［話す］（発信Ａタイプ）を設けておき（図２０参照）、第４ユーザが［話す］をクリックすると、次の電話発信画面（２）Ｓ１６（図２１参照）に移行し、あわせて音声接続サーバ２０は第４ユーザのユーザＩＤとユーザ電話番号、再生された録音メッセージ元である第２ユーザのユーザＩＤとユーザ電話番号を受信する。これにより、音声サーバ２０は、第４ユーザから第２ユーザに対する回線接続要求を受信する。
【００６８】
電話発信画面（２）Ｓ１６（図２１参照）に設けられた［発信タイプＡ］を選択し、［発信する］をクリックすると、音声サーバ２０と関連付けられた電話発信アプリが起動して呼出信号が電話中継サーバ３０を経由して音声サーバ２０へ発信される。そして、音声サーバ２０は、第４ユーザからの回線接続要求および呼出信号に応答して、第４ユーザの携帯端末１Ｄに音声メッセージ（「相手を呼び出しています。」）を発信し、あわせてＩＰ電話中継サーバ３０を経由して呼出信号を第２ユーザの携帯端末１Ｂに対し発信する。第２ユーザの携帯端末１Ｂの画面には呼出信号の受信により音声サーバ２０に割当てられた電話番号が表示される。
【００６９】
第２ユーザが同呼出信号に応答すると、第２ユーザの携帯端末１Ｂに対しては音声データベース１０８から呼び出された音声メッセージ（「録音メッセージの再生相手からお電話です。お話下さい。」が送信され、第４ユーザの携帯端末１Ｄに対しては音声データベース１０８から呼び出された音声メッセージ（「相手と繋がりました。お話下さい。」）が送信され、その後、第４ユーザの携帯端末１Ｄと第２ユーザの携帯端末１Ｂとの間でＩＰ電話中継サーバ３０を経由し、音声サーバ２０を介した電話回線を相互に接続する。これにより、音声メッセージを録音した第２ユーザは録音メッセージを再生した第４ユーザと会話し、質問者と回答者の立場で交流を深めることができる。
【００７０】
メッセージ再生は、ユーザから録音されたメッセージだけでなく、予め登録された各種メッセージを再生できるようにすることができる。例えば、コーナー選択画面Ｓ１３において、質問コーナー・相談コーナー・伝言板コーナーの各カテゴリーだけでなく、予め登録された各種メッセージとして、今日のお天気コーナー・運勢コーナー・株コーナー等、ユーザにとって有益な情報を音声データベース１０８に登録しておき、これらをユーザが選択して再生できるようにしてもよい。
【００７１】
本発明に係る電話接続サービスシステム１００を利用することにより、ユーザは、通話料を気にすることなく、他のユーザといつでもどこでも気軽にコミュニケーションを深めることができ、また、他のユーザに対しいつでもどこでも気軽に様々な電話相談をすることができるようになる。また、他のユーザはユーザからの電話相談に対していつでもどこでも気軽に応じることができるようになる。
【００７２】
本発明に係る電話接続サービスシステム１００のうち、ＷＥＢサーバ１０上の電話接続サービスサイトＳおよび／または音声サーバ２０を運営する電話接続サービス事業者は、複数のユーザのユーザ端末の間で、ＩＰ電話中継サーバ３０を経由し音声サーバ２０を介して電話回線が相互に接続された場合、電話接続時間に応じたシステム利用料をそれら両方のユーザに対してあるいはいずれか一方のユーザに対して課金することができる。例えば、［ランダム接続］の場合は両方のユーザに対して、［選択接続］の場合は電話招待元のユーザに対して、［メッセージ録音］［メッセージ再生］の場合はそれぞれのメッセージを録音するユーザおよびメッセージを再生するユーザに対し電話接続時間に応じたシステム利用料を課金することができる。ユーザはシステム利用料を支払うことにより、通話料を気にすることなく、電話接続サービスを受けることができる。なお、［メッセージ再生］が質問に対する回答である場合には、回答ユーザに対し利用ポイントを付与するようにしてもよい。
【００７３】
本発明に係る電話接続サービスシステム１００のうち、ＩＰ電話回線５０およびＩＰ電話中継サーバ３０を運営する電話中継事業者は、ＩＰ電話回線５０を利用するユーザに高い付加のサービスが提供されることで、ユーザとの間でＩＰ電話回線５０の長期利用契約を期待することができ、ユーザのみならず、同電話中継事業者にとってもメリットの高いシステムであると言うことができる。
【００７４】
なお、本実施形態では、音声サーバ２０とＩＰ電話中継サーバ３０を光回線６０で接続したが、ＩＰ電話回線、一般電話回線で接続してもよい。
【００７５】
本実施形態では、ＷＥＢサーバ１０上の電話接続サービスサイトＳ上でログインし、各種電話接続サービスを受けるようになっているが、本発明は本実施形態に限られないのは言うまでもない。ユーザの携帯端末１の受話口を通して発信される音声ガイダンスに従って、プッシュ操作でユーザＩＤと暗証番号を入力してログインし、音声ガイダンスに従って、メニュー（１［ランダムに会話する］・２［相手を選んで会話する］・３［メッセージを録音する］・４［メッセージを再生する］を選択し、選択したメニューについて、上に述べた手順を音声ガイドに従ってプッシュ操作し、電話中継サーバ３０を経由して音声サーバ２０を介してユーザの携帯端末１、１間で回線を接続し、あるいはユーザの携帯端末１と音声サーバ２０との間で回線を接続し、音声メッセージの録音や録音された音声メッセージの再生を行なわせるようにしてもよい。
【産業上の利用可能性】
【００７６】
本発明に係る電話接続サービスシステムは、ＩＰ電話回線を利用するユーザが、通話料を気にすることなく、各種電話サービスを利用できるシステムとして、幅広く利用可能である。
【符号の説明】
【００７７】
１，１Ａ，１Ｂ，１Ｃ，１Ｄ  携帯端末（ユーザ端末）
１０  ＷＥＢサーバ
２０  音声サーバ
３０  ＩＰ電話中継サーバ
４０  インターネット回線
５０  ＩＰ電話回線
６０  光回線
７０  データベース
１００  電話接続サービスシステム
１０１  会員登録手段
１０２  会員データベース
１０３  接続要求受付手段
１０４  検索手段
１０５  回線接続手段
１０６  招待受付手段
１０７  音声録音再生手段
１０８  音声データベース
１０９  課金手段
Ｓ  電話接続サービスサイト
【図１】
2013223161.tif 000003
【図２】
2013223161.tif 000004
【図３】
2013223161.tif 000005
【図４】
2013223161.tif 000006
【図５】
2013223161.tif 000007
【図６】
2013223161.tif 000008
【図７】
2013223161.tif 000009
【図８】
2013223161.tif 000010
【図９】
2013223161.tif 000011
【図１０】
2013223161.tif 000012
【図１１】
2013223161.tif 000013
【図１２】
2013223161.tif 000014
【図１３】
2013223161.tif 000015
【図１４】
2013223161.tif 000016
【図１５】
2013223161.tif 000017
【図１６】
2013223161.tif 000018
【図１７】
2013223161.tif 000019
【図１８】
2013223161.tif 000020
【図１９】
2013223161.tif 000021
【図２０】
2013223161.tif 000022
【図２１】
2013223161.tif 000023